(57)【要約】【課題】  使用勝手が良く、構造の単純化を図ったり、製造コストの低廉化を図ることが容易で、デザインの選択の自由度が高い水栓を提供する。【解決手段】  湯側の流入路１５と、水側の流入路１６と吐水手段（カラン等）４０に繋がる流出路１７とを具備する水栓本体１１を備える。湯側の操作部２６によって閉弁操作されると、湯側の流入路１５と流出路１７とを非連通な状態とし、開弁操作されると、湯側の流入路１５と流出路１７とを連通状態とする湯側の吐止水弁２０を備える。また、水側の操作部３６によって閉弁操作されると、水側の流入路１６と流出路１７とを非連通な状態とし、開弁操作されると、水側の流入路１６と流出路１７とを連通状態とする水側の吐止水弁３０を備える。そして、少なくとも一方の操作部２６、３６が、傾動操作及び回動操作の双方、若しくは、一方のみを操作態様とするレバー型の操作部である。【選択図】    図１
2005207477.tif 000002
【特許請求の範囲】
【請求項１】
湯を流入させる湯側の流入路と、水を流入させる水側の流入路と、吐水手段に繋がる流出路と、を具備する水栓本体を備える水栓であって、
前記水栓本体が、
湯側の操作部によって閉弁操作されると、前記湯側の流入路と前記流出路とを非連通な状態とし、該湯側の操作部によって開弁操作されると、前記湯側の流入路と前記流出路とを連通状態とする湯側の吐止水弁と、
水側の操作部によって閉弁操作されると、前記水側の流入路と前記流出路とを非連通な状態とし、該水側の操作部によって開弁操作されると、前記水側の流入路と前記流出路とを連通状態とする水側の吐止水弁と、を備え、
前記湯側の操作部及び前記水側の操作部のうちの少なくとも一方が、上下方向への傾動操作及び左右方向への回動操作の双方、若しくは、一方のみを操作態様とするレバー型の操作部であることを特徴とする水栓。
【請求項２】
前記水栓本体の外部であって前記湯側の流入路の１次側の部位に、所定の調温手段を配置し、
前記調温手段によって予め所望温度に温度制御された湯が、前記湯側の流入路に流入すると共に、
前記湯側の操作部が、前記レバー型の操作部であることを特徴とする請求項１に記載の水栓。
【請求項３】
前記湯側の操作部及び前記水側の操作部のうちの一方が、前記レバー型の操作部であると共に、
前記湯側の操作部及び前記水側の操作部のうちの他方が、所定の操作軸を軸心とする回動操作のみを操作態様とするハンドル型の操作部であることを特徴とする請求項１又は請求項２に記載の水栓。
【請求項４】
前記レバー型の操作部には、上下方向への傾動操作及び左右方向への回動操作の双方を施すことが可能であると共に、
該傾動操作及び該回動操作のうちの一方が、前記水栓の吐止水状態を変化させる本操作を構成し、
該傾動操作及び該回動操作のうちの他方が、前記水栓の吐止水状態を維持する空操作を構成することを特徴とする請求項１乃至請求項３の何れかに記載の水栓。
【請求項５】
前記レバー型の操作部が前記水栓の最上部に配置されていることを特徴とする請求項１乃至請求項４の何れかに記載の水栓。
【請求項６】
前記レバー型の操作部が前記水栓の最上部に配置されているとともに前記ハンドル型の操作部が前記水栓の側面部又は前面部のうちの一方に配置されていることを特徴とする請求項３に記載の水栓。
【請求項７】
湯を流入させる湯側の流入路と、水を流入させる水側の流入路と、吐水手段に繋がる流出路と、を具備する水栓本体を備える水栓であって、
前記水栓本体が、
湯側の操作部によって閉弁操作されると、前記湯側の流入路と前記流出路とを非連通な状態とし、該湯側の操作部によって開弁操作されると、前記湯側の流入路と前記流出路とを連通状態とする湯側の吐止水弁と、
水側の操作部によって閉弁操作されると、前記水側の流入路と前記流出路とを非連通な状態とし、該水側の操作部によって開弁操作されると、前記水側の流入路と前記流出路とを連通状態とする水側の吐止水弁と、を備え、
前記水栓本体の外部であって前記湯側の流入路の１次側の部位に、所定の調温手段を配置し、
前記調温手段によって予め所望温度に温度制御された湯が、前記湯側の流入路に流入することを特徴とする水栓。
【発明の詳細な説明】
【技術分野】
【０００１】
本発明は、水栓に関する。
【背景技術】
【０００２】
水栓の中には、図７（ａ）及び（ｂ）に示すように、「平面摺動方式の弁装置７０」を水栓本体８０の内部に配置したものがある（以下、「従来例１」といい、特許文献１の図１等を参照）。この弁装置７０は、一般に、互いに平面摺動する固定弁体７１及び可動弁体７２を備えると共に、傾動操作及び回動操作を操作態様とするレバー型の操作部７５によって操作される。そして、この弁装置７０が操作されると、水栓本体８０に供給される湯と水の混合と、吐止水の選択と、吐水量の調節とが行われる。
【０００３】
また、自動温度調節機構（サーモスタット方式等）を備える「温度調節用の弁装置」と、この弁装置の２次側に配置される吐止水選択用の弁装置と、を水栓本体に内蔵するタイプの水栓（以下、「従来例２」といい、特許文献２参照の図２等を参照）も用いられている。
【特許文献１】特開平９−４２４９４号公報
【特許文献２】特開２０００−２４０８２９号公報
【発明の開示】
【発明が解決しようとする課題】
【０００４】
ところが、これらの従来例には以下のような問題がある。即ち、この従来例１に示す弁装置７０は、温度調節と吐止水とを行うことが必要なため、弁装置（平面摺動型のカートリッジ）としての流路構造が複雑化し易い。従って、水栓本体内に流入した湯や水が、この弁装置７０を通過するときに、この湯の給湯圧やこの水の給水圧が徒に低下すること（予定外の圧力損失を生ずること）がある。このため、「吐水手段（例えば、カランやシャワー等）」から吐水される湯や水の吐水流量（勢い）を十分に確保できず、水栓の使用勝手が悪くなることがある。
【０００５】
また、従来例１の水栓は、単一の操作部によって、温度調節用の操作と、吐止水選択用の操作と、吐水量調節用の操作とを行う構造であるため、前に行われた「操作」によってなされた設定が、後に行われる「他の操作」の際に誤って変更され易いという問題を有している。例えば、操作部に温度調節用の操作を施し、所望の温度の湯を吐水しているときに、吐水量の増減のみを意図し、操作部に吐水量調節用の操作を施した。ところが、実際には、意図しない「吐水温度の変更」を生じてしまう可能性があり、従来例１の水栓では、この点からも、使用勝手が悪くなっている。
【０００６】
更に、従来例２の水栓においても、自動温度調節機構が複雑な流路構造を備えるため、水栓本体に流入する湯や水が自動温度調節機構を通過するときに、この湯の給湯圧やこの水の給水圧が徒に低下し、水栓の使用勝手が悪くなることがある。また、自動温度調節機構の構造が複雑で製造コストが掛かるため、水栓の構造の単純化を図ったり、水栓の製造コストの低廉化を図ることが困難であるという問題も有している。更に、自動温度調節機構は、サイズが大型化し易く（例えば、長尺状となり易く）、水栓本体への収納スペースが大きくなり易い。よって、水栓本体のサイズや形状の選択の自由度が低くなるため、デザインの選択の自由度が低くなっているのが実情である。
【０００７】
尚、圧力損失を生じ難い水栓としては、所謂「２ハンドル方式」の水栓を例示できる。この水栓では、湯と水の混合度合いを別個のハンドルを用いて調節する。しかし、この２ハンドル方式の水栓においては、湯側及び水側の両ハンドルを交互に反復操作して、吐水温度と吐水流量を手動で設定するという、面倒なハンドル操作が必要となる。よって、「２ハンドル方式」の水栓においても、使用勝手が悪いという問題を有している。
【０００８】
本発明は、上述の課題を解決するものであり、使用勝手が良く、構造の単純化を図ったり、製造コストの低廉化を図ることが容易で、デザインの選択の自由度が高い水栓を提供すること目的とする。
【課題を解決するための手段】
【０００９】
請求項１の発明の水栓は、湯を流入させる湯側の流入路と、水を流入させる水側の流入路と、吐水手段に繋がる流出路と、を具備する水栓本体を備える水栓であって、
前記水栓本体が、
湯側の操作部によって閉弁操作されると、前記湯側の流入路と前記流出路とを非連通な状態とし、該湯側の操作部によって開弁操作されると、前記湯側の流入路と前記流出路とを連通状態とする湯側の吐止水弁と、
水側の操作部によって閉弁操作されると、前記水側の流入路と前記流出路とを非連通な状態とし、該水側の操作部によって開弁操作されると、前記水側の流入路と前記流出路とを連通状態とする水側の吐止水弁と、を備え、
前記湯側の操作部及び前記水側の操作部のうちの少なくとも一方が、上下方向への傾動操作及び左右方向への回動操作の双方、若しくは、一方のみを操作態様とするレバー型の操作部であることを特徴とする。
【００１０】
ここで、本明細書において「左」、「右」、「上」、「下」「前」、「後」等の方向は、使用者を基準に定めたものである。また、本明細書において、「レバー型の操作部を上方に傾動する」とは、例えば、レバー型の操作部（取っ手部）の傾斜角（使用者側に向かって上がり傾斜となる方向を正の方向と仮定する。）を増加させることを指す。更に具体的には、レバー型の操作部を、その所定の部位（例えば、取っ手部の根本側部分）を支点にして上方に持ち上げることを指す。一方、「操作部を下方に傾動する」とは、例えば、レバー型の操作部（取っ手部）の傾斜角を減少させることを指す。更に具体的には、レバー型の操作部を、その所定の部位（例えば、取っ手部の根本側部分）を支点にして下方に押し下げることを指す。
【００１１】
請求項１の発明の水栓は、水栓本体に流入した湯の給湯圧や水栓本体に流入した水の給水圧を徒に低下させる機構を、水栓本体内に配置しない。つまり、その水栓本体の内部において、複雑な流路構造を備える弁装置（前述の「温度調節と吐止水を行う平面摺動方式の弁装置や、自動温度調節機構を備えるサーモスタット方式の温度調節用の弁装置等）を配置しないため、吐水手段から吐水される湯や水の吐水流量（勢い）を十分に確保できる。
【００１２】
また、湯側の操作部及び水側の操作部のうちの少なくとも一方（一方の操作部、若しくは、双方の操作部）が、操作性の高い「レバー型の操作部」によって構成される。しかも、単一の「レバー型の操作部」によって、温度調節用の操作と、吐止水用の操作とを行う構造でないため、前に行われた「操作」によってなされた設定が、後に行われる「他の操作」の際に誤って変更されることはない。よって、請求項１の発明の水栓によると、従来の「レバー型の操作部」が備える水栓の長所を生かしつつ、短所を無くすことができる。つまり、「操作部の操作性の高い」という長所を生かしつつ、「意図しない設定変更を生じ易い」という短所を無くすことができる。
【００１３】
更に、請求項１の発明の水栓では、「湯側の操作部」及び「水側の操作部」のうちの一方を操作したり、双方を操作すれば、吐止水の選択等を行うことができる。
【００１４】
よって、請求項１の発明の水栓は、以上の点から、操作性が高く、使用勝手に優れている。また、請求項１の発明の水栓では、その水栓本体の内部に、構造が複雑で、製造コストや設置スペースが嵩む部品（例えば、前述の「自動温度調節機構を備える温度調節用の弁装置」等）を配置しない。このため、水栓の機構（構造）の簡略化と製造コストの低廉化を図ることが容易である。また、水栓本体のサイズや形状の選択の自由度が高くなるため、水栓のデザインの選択の自由度が高くなる。
【００１５】
尚、請求項１の発明の水栓では、前述の如く、「湯側の操作部」のみに開放操作（開弁操作）を施し、湯側の流入路に流入する湯のみを吐水してもよいし、「水側の操作部」のみを開放操作（開弁操作）を施し、水側の流入路に流入する水のみを吐水してもよい。これらの場合には、単一の操作部のみに施される「一操作」によって、吐止水の選択等を行うことができるため、水栓をより円滑に操作することができる。但し、請求項１の発明の水栓では、「湯側の操作部」及び「水側の操作部」の双方に開放操作（開弁操作）を施し、湯側の流入路に流入する湯と、水側の流入路に流入する水とを、水栓本体の内部で混合した上で、吐水してもよい。
【００１６】
また、請求項１の発明の水栓では、湯側の操作部及び水側の操作部のうちの一方のみをレバー型の操作部とし、他方を「レバー型以外のタイプの操作部」としてもよいし、湯側の操作部及び水側の操作部の双方をレバー型の操作部としてもよい。この「レバー型以外のタイプの操作部」としては、回動操作のみを操作態様とする「ハンドル型の操作部」の他に、押しボタン式の操作部、非接触型の操作部（例えば、センサによって使用者が近接したことを検知して吐止水弁に開弁駆動させ、使用者が離間したことを検知して吐止水弁に閉弁駆動させる操作部）等を例示できる。
【００１７】
請求項２の水栓は、請求項１に記載の水栓において、
前記水栓本体の外部であって前記湯側の流入路の１次側の部位に、所定の調温手段を配置し、
前記調温手段によって予め所望温度に温度制御された湯が、前記湯側の流入路に流入すると共に、
前記湯側の操作部が、前記レバー型の操作部であることを特徴とする。
【００１８】
請求項２の発明は、近年、調温手段（例えば、給湯器）によって行われる「温度制御の精度」が向上したことを考慮してなされたものである。即ち、請求項２の発明においては、水栓本体の１次側で、所望温度に温度制御された「湯」を、湯側の流入路を通じて水栓本体に流入させる。よって、使用者は、調温手段から水栓本体に供給される湯の温度を予め所望温度に設定しておくだけで、より一層、使用勝手の良い状態にて水栓を使用することができる。
【００１９】
例えば、湯を吐水させたい場合（風呂への給湯時、洗髪時、手荒い時、食器洗浄時等）には、「湯側の操作部」のみに開放操作（開弁操作）を施せば足り、水を吐水させたい場合（清掃時等）には、「水側の操作部」のみに開放操作（開弁操作）を施せば足りる。つまり、湯側だけ、又は、水側だけの吐水（通水）を行う場合には、一方の操作部に一操作を施せば足りることになる。換言すると、本水栓のサイドでは、温度調節操作を一切行う必要がないことになる。但し、請求項２の発明においても、「湯側の操作部」及び「水側の操作部」の双方に開放操作（開弁操作）を施し、湯側の流入路に流入する湯と、水側の流入路に流入する水とを、水栓本体の内部で混合した上で、吐水してもよい。例えば、「湯側の流入路に供給される湯」の温度が僅かに高い場合に、この湯に「水側の流入路に供給される水」を混合することで、吐水温度の調節（例えば、微調節）を行う態様を例示できる。
【００２０】
請求項３の水栓は、請求項１又は請求項２に記載の水栓において、
前記湯側の操作部及び前記水側の操作部のうちの一方が、前記レバー型の操作部であると共に、
前記湯側の操作部及び前記水側の操作部のうちの他方が、所定の操作軸を軸心とする回動操作のみを操作態様とするハンドル型の操作部であることを特徴とする。
【００２１】
請求項３の発明は、２つの操作部の操作性に、意図的な差異を設けたものである。例えば、水栓の中には、「湯側の吐止水弁」を用いた「吐止水」の頻度と、「水側の吐止水弁」を用いた「吐止水」の頻度とが異なる場合がある。つまり、請求項２の発明に従って、「前記水栓本体の外部であって前記湯側の流入路の１次側の部位に、所定の調温手段を配置し、前記調温手段によって予め所望温度に温度制御された湯が、前記湯側の流入路に流入する水栓」においては、「湯側の吐止水弁」を用いた「吐止水」の頻度が、「水側の吐止水弁」を用いた「吐止水」の頻度よりも高くなることがある。この場合、湯側の操作部をレバー型の操作部とし、水側の操作部をハンドル型の操作部とする態様を例示できる。この態様によると、使用頻度の高い「湯側の操作部」の操作性をより高くした構造の水栓、即ち、「使用頻度の高い、湯側の吐止水を優先した構造の水栓」を実現できる。      
【００２２】
また、請求項３の発明においては、水側の操作部をレバー型の操作部とし、湯側の操作部をハンドル型の操作部としてもよい。この態様は、水栓本体の１次側から「湯側の流入路」に熱湯が流入する可能性がある場合等（例えば、湯側の流入路に流入する「湯」が温度制御されていない場合等）を考慮している。つまり、このタイプ水栓では、「湯側の操作部」を操作性が高い「レバー型の操作部」とすると、「湯側の操作部」を誤った操作方向に一気に操作し、「熱湯」を誤って吐水させてしまう可能性がある。ところが、「湯側の操作部」を操作性が低い「ハンドル型の操作部」とすれば、この「湯側の操作部」を一気に操作することが困難であると共に、操作時における「使用者の注意力」をこの「湯側の操作部」に集中させ易くなるため、「湯側の操作部」の誤操作を防止し易くなる。
【００２３】
この「湯側の操作部」の操作性を意図的に低下させる態様は、例えば、社会的な弱者（例えば、幼児、子供、老人等）が使用する可能性が高い水栓に対して特に好適に適用できる。つまり、誤操作を行うと、危険を生ずる可能性がある操作部を弱者等にとって操作し辛いハンドル型の操作部とし、必要に応じて、保護者や介護者等が、この「ハンドル型の操作部」を代わって操作することとすれば、水栓の安全性を高めることができるからである。
【００２４】
請求項４の水栓は、請求項１乃至請求項３の何れかに記載の水栓において、
前記レバー型の操作部には、上下方向への傾動操作及び左右方向への回動操作の双方を施すことが可能であると共に、
該傾動操作及び該回動操作のうちの一方が、前記水栓の吐止水状態を変化させる本操作を構成し、
該傾動操作及び該回動操作のうちの他方が、前記水栓の吐止水状態を維持する空操作を構成することを特徴とする。
【００２５】
請求項４の発明では、レバー型の操作部を、傾動操作及び回動操作の双方を施すことが可能な構造とする。そして、この操作部に傾動操作（若しくは、回動操作）を施すと、対応する吐止水弁の開閉弁状態が変化する（水栓の吐止水状態に変化を生じさせる駆動を行う）が、回動操作（若しくは、傾動操作）を施しても、当該吐止水弁の開閉弁状態に変化を生じない（水栓の吐止水状態に変化を生じさせない）。このため、請求項４の発明によると、様々な使用状況に対し、使用勝手が良い水栓が得られる。換言すると、左右への回動方向（若しくは、上下への傾動方向）に振り角（遊び角）を持つため、様々な使用状況に対し、使用勝手が良い水栓となる。以下、この点に関し、具体例を挙げて説明する。また、空操作とは、「操作部に施されていても、水栓の吐止水状態を維持する操作」、つまり、「操作部に施されていても、水栓の吐止水状態に変化を生じさせない操作」を指す。
【００２６】
請求項４の発明において、傾動操作を本操作とし、回動操作を空操作とする場合には、使用者と水栓との相対的な位置に関係無く、同様な使用性を確保できる。例えば、使用者が水栓の正面に位置する場合は、レバー型の操作部を正面に向けた状態で、この操作部を上下に傾動操作し、対応する吐止水弁を開閉弁駆動させればよい。一方、使用者が水栓の斜め前方や側方に位置する場合は、レバー型の操作部に回動操作を施し、この操作部を使用者の方向に向けた後に、この操作部に上下への傾動操作し、対応する吐止水弁を開閉弁駆動させることができるからである。
【００２７】
また、傾動操作を空操作とし、回動操作を本操作とする場合には、使用者自身の状況（立っているか、座っているか、大人か、子供か等の状況）に関係無く、同様な使用性を確保できる。例えば、使用者が座っていたり、背が低い子供の場合には、レバー型の操作部を下方に傾動させた状態で、この操作部に開閉操作を施せばよい。一方、使用者が立った状態の大人である場合には、レバー型の操作部を上方に傾動させ状態で、この操作部に開閉操作を施せばよいからである。また、この態様は、幼児等が操作部を操作することを避けたい場合（例えば、熱湯が湯吐水される可能性がある場合）にも有効である。蓋し、レバー型の操作部を上方に傾動させ、幼児等の手が届かないようにすればよいからである。
【００２８】
請求項４の発明において、「水栓の吐止水状態が変化する」とは、例えば、対応する「吐止水弁」、つまり、「請求項４の発明に係るレバー型の操作部によって操作される吐止水弁」の開閉弁状態を変化させ（閉弁状態から開弁状態に変化させたり、開弁状態から閉弁状態に変化させる。）、止水状態にある水栓が吐水状態となったり、吐水状態にある水栓が止水状態となること等を指す。また、この吐止水弁によって吐水量の調節をも行う場合には、この吐止水弁の開度を変化させ（例えば、開弁量を増減させ）、水栓の吐水量を変化させること等も含まれる。
【００２９】
請求項１〜請求項４の発明において、湯側の操作部と、水湯側の操作部の双方がレバー型の操作部であっても、一方のみがレバー型の操作部であってもよい。また、湯側の操作部と、水湯側の操作部の双方がレバー型の操作部である場合に、双方が請求項４の適用を受ける「レバー型の操作部」であってもよいし、一方のみが請求項４の適用を受ける「レバー型の操作部」であってもよい。尚、請求項１〜請求項４の発明において、請求項４の適用を受けない「レバー型の操作部」を備える場合、当該操作部には、傾動操作及び回動操作のうちの一方のみを施すことが可能であってもよいし、傾動操作及び回動操作の双方を施すことが可能であってもよい。
【００３０】
請求項５の水栓は、請求項１乃至請求項４の何れかに記載の水栓において、
前記レバー型の操作部が前記水栓の最上部に配置されていることを特徴とする。
【００３１】
請求項５の発明によると、水栓の使用勝手が更に向上する。即ち、「レバー型の操作部」は、レバー形状を備えると共に、傾動操作や回動操作を操作態様するため、その上方や斜め上方から操作する構成とすれば、その操作性が特に向上する。この点に着目し、請求項５の発明では、レバー型の操作部を水栓の最上部に配置し、その操作性を更に向上させるため、水栓の使用勝手が更に向上する。
【００３２】
請求項６の水栓は、請求項３に記載の水栓において、
前記レバー型の操作部が前記水栓の最上部に配置されているとともに前記ハンドル型の操作部が前記水栓の側面部又は前面部のうちの一方に配置されていることを特徴とする。
【００３３】
請求項６の発明によると、請求項５の発明と同様に、水栓の使用勝手が更に向上する。つまり、レバー型の操作部においては、前述のように、水栓の最上部に配置すると、その操作性が更に向上する。また、ハンドル型の操作部は、例えば、使用者がその全体をつかんで、回動させて操作するものである。このため、「ハンドル型の操作部を操作する使用者」にとっては、掌を側方に向けつつ、この操作部を操作可能であったり、この操作部を自己に近接する状態に配置しつつ、操作可能であれば、その操作性が更に高くなる。この点に着目し、請求項６の発明では、ハンドル型の操作部を水栓の側面部（掌を側方に向けて操作可能な位置）や、水栓の前面部（自己に近接する状態で操作可能な位置）に配置する。即ち、請求項６の発明を、レバー型の操作部及びハンドル型の操作部をより的確な位置に配置するため、水栓の使用勝手が更に向上する。
【００３４】
請求項７の水栓は、  湯を流入させる湯側の流入路と、水を流入させる水側の流入路と、吐水手段に繋がる流出路と、を具備する水栓本体を備える水栓であって、
前記水栓本体が、
湯側の操作部によって閉弁操作されると、前記湯側の流入路と前記流出路とを非連通な状態とし、該湯側の操作部によって開弁操作されると、前記湯側の流入路と前記流出路とを連通状態とする湯側の吐止水弁と、
水側の操作部によって閉弁操作されると、前記水側の流入路と前記流出路とを非連通な状態とし、該水側の操作部によって開弁操作されると、前記水側の流入路と前記流出路とを連通状態とする水側の吐止水弁と、を備え、
前記水栓本体の外部であって前記湯側の流入路の１次側の部位に、所定の調温手段を配置し、
前記調温手段によって予め所望温度に温度制御された湯が、前記湯側の流入路に流入することを特徴とする。
【００３５】
請求項７の発明は、請求項２の発明と同様な趣旨でなされたものである。即ち、請求項７の発明においても、水栓本体の１次側で、所望温度に温度制御された「湯」を、湯側の流入路を通じて水栓本体に流入させる。よって、使用者は、調温手段から水栓本体に供給される湯の温度を予め所望温度に設定しておくだけで、より一層、使用勝手の良い状態にて水栓を使用することができる。
【００３６】
また、請求項７の発明の水栓においても、その水栓本体の内部において、複雑な流路構造を備える弁装置を配置しないため、吐水手段から吐水される湯や水の吐水流量（勢い）を十分に確保できる。また、単一の操作部によって、温度調節用の操作と、吐止水用の操作とを行う構造でないため、前に行われた「操作」によってなされた設定が、後に行われる「他の操作」の際に誤って変更されることはない。また、「湯側の操作部」及び「水側の操作部」のうちの一方を操作したり、双方を操作すれば、吐止水の選択等を行うことができる。よって、請求項７の発明の水栓は、操作性が高く、使用勝手に優れる。
【００３７】
更に、請求項７の発明の水栓においても、その水栓本体の内部に、構造が複雑で、製造コストや設置スペースが嵩む部品を配置しない。このため、水栓の機構（構造）の簡略化と製造コストの低廉化を図ることが容易である。また、水栓本体のサイズや形状の選択の自由度が高くなるため、水栓のデザインの選択の自由度が高くなる。
【００３８】
尚、請求項７の発明の水栓の使用態様としても、「湯側の操作部」のみに開放操作（開弁操作）を施し、湯側の流入路に流入する湯のみを吐水する使用態様と、「水側の操作部」のみを開放操作（開弁操作）を施し、水側の流入路に流入する水のみを吐水する使用態様とが特に好適である。これらの場合には、単一の操作部のみに施される「一操作」によって、吐止水の選択等を行うことができるため、水栓をより円滑に操作することができるからである。但し、請求項７の発明の水栓においても、「湯側の操作部」及び「水側の操作部」の双方に開放操作（開弁操作）を施し、湯側の流入路に流入する湯と、水側の流入路に流入する水とを、水栓本体の内部で混合した上で、吐水してもよい。
【００３９】
また、請求項７の発明の水栓では、「湯側の操作部」及び「水側の操作部」の態様は特に問わない。即ち、請求項１乃至請求項６の何れかの発明に示す態様の他に、湯側の操作部及び水側の操作部の双方を、「レバー型以外のタイプの操作部（例えば、ハンドル型の操作部）」とする態様も含まれる。
【００４０】
請求項１〜請求項７の各発明において、「湯側の吐止水弁」及び「水側の吐水水弁」の構造、形式は種々選択できる。例えば、吐止水の選択のみを行うものであってもよいし、吐止水の選択及び吐水流量の調節を行うものや、吐止水の選択と吐水流量の調節に加えて流出路（吐水手段）の選択（切換）を行うものであってもよい。また、請求項１〜請求項７の各発明において、「湯側の吐止水弁」及び「水側の吐水水弁」の具体的構造としては、例えば、（Ａ）互いに平面摺動して、互いの流路の開閉や連通度合い等の調節を行う固定弁体及び可動弁体を備える平面摺動方式の吐止水弁、（Ｂ）対向する一対の弁口に対して弁体を進退させて流路の切換及び流量の調節を行うリフト方式の吐止水弁、（Ｃ）各々円筒状に成されると共に互いに挿嵌された固定弁体及び可動弁体を有し、互いに周面摺動して流路の開閉を行うロータリー方式の吐止水弁、（Ｄ）弁口と、この弁口方向に付勢されたボール状の弁体とを有し、弁体と弁口とを相対的に移動させて弁口の開閉を行うボール弁方式の吐止水弁、等を例示できる。また、請求項１〜請求項７の各発明の「吐水手段」としては、例えば、カランやシャワー等を例示できる。
【発明の効果】
【００４１】
以上のように、本各発明によると、使用勝手が良く、構造の単純化を図ったり、製造コストの低廉化を図ることが容易で、デザインの選択の自由度が高い水栓が得られる。
【発明を実施するための最良の形態】
【００４２】
次に、本各発明に係わる「水栓」の最良の形態（以下、「実施例」という。）を図面に従って詳細に説明する。
【００４３】
本実施例では、図１に示すように、本各発明の一具体例を示す水栓１０と、この水栓１０を備える「水栓設備Ｓ」について説明する。この「水栓設備Ｓ」は、水栓１０と、給湯用の元配管部１Ａと、給水用の元配管部１Ｂと、を備えている。
【００４４】
給湯用の元配管部１Ａは、水栓１０の１次側において所望温度に温度制御された湯を、水栓１０に対して供給するためのものである。この給湯用の元配管部１Ａを構成する配管の経路途中には、その一次側から２次側に向かって、給湯器５１と、湯側の止水栓２ａと、湯側の逆止弁３ａと、湯側のストレーナ５ａとがこの順に介在されている。
【００４５】
給湯器５１は、調温手段の一具体例を構成するものであり、給湯制御装置５２と、給湯操作部（スイッチ）５３とが電気的に接続されている。そして、使用者が、給湯操作部（スイッチ）５３によって、所望の温度を指定すると、給湯器５１に内蔵されたセンサ（温度センサや流量センサ等）と、給湯制御装置（マイクロコンピュターや制御プログラム等で構成）等の働きにより、給湯器５１から水栓１０方向に流入する「湯」の温度が、所望の温度に制御される構成となっている。
【００４６】
給水用の元配管部１Ｂは、給水源（Ｃ）の水を、水栓１０に対して、そのまま供給するためのものである。この給水用の元配管部１Ｂを構成する配管の経路途中には、その一次側から２次側に向かって、水側の止水栓２ｂと、水側の逆止弁３ｂと、水側のストレーナ５ｂとがこの順に介在されている。
【００４７】
水栓１０は、所謂「台付きタイプ（デッキタイプ）」の水栓であり、水栓本体１１と、吐水手段４０とを備えている。また、水栓本体１１の底面には給湯口１２及び給水口１３が設けられ、前面には吐水接続口１４が設けられている。そして、給湯口１２には、給湯用の元配管部１Ａの「２次側の端部」が接続され、給水口１３には、給水用の元配管部１Ｂの「２次側の端部」が接続されている。また、吐水接続口１４には、吐水手段４０の一具体例を構成する「カラン」の「１次側の端部」が接続されている。
【００４８】
水栓本体１１は、その内部流路として、湯側の流入路１５と、水側の流入路１６と、流出路１７とを備えている。また、水栓本体１１は、湯側の吐止水弁２０と、水側の吐止水弁３０とを内蔵している。このうち、湯側の流入路１５の「１次側の端部」は給湯口１２に接続され、湯側の流入路１５の「２次側の端部」は湯側の吐止水弁２０の湯取入口２１に接続されている。また、水側の流入路１６の「１次側の端部」は給水口１３に接続され、水側の流入路１６の「２次側の端部」は水側の吐止水弁３０の水取入口３１に接続されている。
【００４９】
流出路１７は、２つの「１次側の端部」と、１つの「２次側の端部」とを備える「合流型の流路」である。そして、流出路１７の一方の「１次側の端部」は、湯側の吐止水弁２０の湯取出口２２に接続され、流出路１７の他方の「１次側の端部」は、水側の吐止水弁３０の水取出口３２に接続されている。また、流出路１７の「２次側の端部」は、吐水接続口１４に接続されている。
【００５０】
湯側の吐止水弁２０は、図３及び図４に示すように、ロータリー方式の弁装置によって構成されている。この湯側の吐止水弁２０は、固定弁体２３と、可動弁体２５と、可動弁体２５に一体的に設けられた駆動軸２５ａとを具備する弁機構を備える。そして、固定弁体２３及び可動弁体２５は、何れも、円筒状に形成されると共に、固定弁体２３及び可動弁体２５の軸心を揃えた状態で、可動弁体２５が固定弁体２３の内部空間内に挿嵌されている。つまり、固定弁体２３及び可動弁体２５は、軸心を同軸上に配置した状態で、固定弁体２３の内周面と可動弁体２５の外周面とを周面摺動可能な状態に挿嵌されている。
【００５１】
湯側の吐止水弁２０は、上下方向への傾動操作と、左右方向への回動操作とが可能なレバー型の操作部（つまり、湯側の操作部）２６によって操作される。即ち、操作部２６に傾動操作を施すと、駆動軸２５ａ及び可動弁体２５が上下に駆動する。また、操作部２６に回動操作を施すと、駆動軸２５ａ及び可動弁体２５が回動する構成とされている。つまり、操作部２６を下方から上方に傾動すると、駆動軸２５ａ及び可動弁体２５が、それら（駆動軸２５ａ及び可動弁体２５）の軸心方向に沿って上昇する。また、操作部２６を上方から下方に傾動すると、駆動軸２５ａ及び可動弁体２５が、それら（駆動軸２５ａ及び可動弁体２５）の軸心方向に沿って下降する。更に、操作部２６に右回転操作を加えると、駆動軸２５ａ及び可動弁体２５が、それら（駆動軸２５ａ及び可動弁体２５）の軸心回りに右回転し、操作部２６に左回転操作を加えると、駆動軸２５ａ及び可動弁体２５が、それら（駆動軸２５ａ及び可動弁体２５）の軸心回りに左回転する構造となっている。
【００５２】
尚、操作部２６に施される操作（操作力）を、駆動軸２５ａ及び可動弁体２５に伝達するための「伝達手段」の具体的な構成は特に問わず、例えば、以下の具体例を例示できる。例えば、操作部２６の一端部２６ａに「略摩擦車状の部分（歯車状の部分でもよい。）」を設け、操作部２６（取っ手部２６ｂ）を、略摩擦車状の部分の軸心を支点として傾動可能とする。また、略摩擦車状の部分の周面と、駆動軸２５ａの周面との間に、駆動力伝達用の摩擦車２５ｂ（歯車若しくはピニオンであってもよい。また、ピニオン状の場合、駆動軸２５ａはラック状とされる。）を、圧接状に介在させる。そして、操作部２６を、略摩擦車状の部分を軸心に傾動させると、この「略摩擦車状の部分」に回転を生じ、この回転による回転力を摩擦車２５ｂを通じて駆動軸２５ａに伝達し、駆動軸２５ａを上下動させる。一方、操作部２６を左右に回動させると、摩擦車２５ｂと、駆動軸２５ａと、可動弁体２５とが一体で左右に回動する。また、この「伝達手段」をリンク機構等の他の機構によって構成することもできる。
【００５３】
可動弁体２５は、その内部空間を給湯流路２７とすると共に、周壁部２８に、可動側の湯出口２８ａを備えている。このうち、給湯流路２７は、その「１次側の端部」が前述の「湯取入口２１」と連続すると共に、「２次側の端部」が湯出口２８ａと連続している。また、可動側の湯出口２８ａは、周壁部２８の表裏を貫通する状態に設けられると共に、可動弁体２５の周方向に沿って長尺状となる略円弧形状を備えている。
【００５４】
固定弁体２３は、その内部空間を可動弁体２５の摺動空間とすると共に、周壁部２４に、固定側の湯出口２４ａを備えている。この固定側の湯出口２４ａも、周壁部２４の表裏を貫通すると共に、固定弁体２３の周方向に沿った略円弧形状に設けられている。但し、固定側の湯出口２４ａでは、前述の「可動側の湯出口２８ａ」に比べて、周壁部２４の周方向に沿った幅が小さくされている。また、固定側の湯出口２４ａは、その「２次側の端部」が、前述の「湯取出口２２」と連続している。
【００５５】
この湯側の吐止水弁２０では、操作部２６（取っ手部２６ｂ）がその軸線を略水平に向けると、可動弁体２５は最下方に位置する。このとき、可動側の湯出口２８ａは、固定側の湯出口２４ａよりも下方に位置し、両湯出口２８ａ、２４ａは非連通な状態となる｛図３（ａ）参照｝。つまり、本実施例の水栓１０は、「湯側の吐止水弁２０に関する止水状態」となる。
【００５６】
また、操作部２６を上方に傾動すると、可動弁体２５が上昇する。そして、操作部２６の上方への傾動量が所定量となると、両湯出口２８ａ、２４ａが連通状態となる｛図３（ｂ）参照｝。このとき、湯側の流入路１５と流出路１７とが、湯取入口２１、給湯流路２７及び湯取出口２２を介して連通する。これにより、本実施例の水栓１０は、「湯側の吐止水弁２０に関する吐水状態」となる。尚、可動側の湯出口２８ａのうちで、固定側の湯出口２４ａによって解放される量、つまり、湯出口２８ａの解放量は、操作部２６の上方への傾動量によって決定される。つまり、この湯側の吐止水弁２０では、操作部２６（取っ手部２６ｂ）に加える上下への傾動操作が「本操作」を構成する。
【００５７】
一方、操作部２６に回動操作（右回転操作や左回転操作）を施しても、水栓１０の吐止水状態に変化を生じさせない。つまり、この湯側の吐止水弁２０では、操作部２６（取っ手部２６ｂ）に加える左右への回動操作が「空操作」を構成する。具体的には、操作部２６の上下方向（傾動方向）に沿った位置が、両湯出口２８ａ、２４ａを連通させない位置（可動側の湯出口２８ａを、固定側の湯出口２４ａよりも下方に配置する位置）である場合は、操作部２６に回動操作（右回転操作や左回転操作）を施しても、両湯出口２８ａ、２４ａは非連通な状態を維持する。即ち、操作部２６の上下方向（傾動方向）に沿った位置が、水栓１０を止水状態にする位置であるときには、操作部２６に回動操作（右回転操作や左回転操作）を施しても、水栓１０は止水状態のままである。
【００５８】
また、操作部２６の上下方向（傾動方向）に沿った位置が、両湯出口２８ａ、２４ａを連通させる位置（可動側の湯出口２８ａを、固定側の湯出口２４ａよりも下方に配置する位置）である場合は、操作部２６に回動操作（右回転操作や左回転操作）を施しても、両湯出口２８ａ、２４ａは連通状態を維持する。しかも、可動側の湯出口２８ａが周壁部２６の周方向に沿って長尺状に設けられている。このため、操作部２６に回動操作を施して可動側の湯出口２８ａと固定側の湯出口２４ａとの周方向に沿った相対位置が変化しても、可動側の湯出口２８ａのうちで、固定側の湯出口２４ａによって解放される量、つまり、湯出口２８ａの解放量が変化しないようにされている。即ち、操作部２６の上下方向（傾動方向）に沿った位置が、水栓１０を吐水状態にする位置であるときには、操作部２６に回動操作（右回転操作や左回転操作）を施しても、水栓１０は吐水状態のままであるばかりか、吐水量も一定に保たれる。
【００５９】
水側の吐止水弁３０は、吐止水の選択と吐水量の調節を行うための弁機構（図示を省略）を備えており、この弁機構は操作軸（例えば、スピンドル）３３を水栓本体１１の前方に突出させている（図１参照）。そして、この操作軸３３の突端には、ハンドル型の操作部（つまり、水側の操作部）３６が装着されている。この操作部３６は、操作軸３３を軸心とする回動操作のみを操作態様とするものである。そして、図２（ｂ）に示すように、操作部３６の取っ手部３６ａを上方に向けた状態とすると、水側の吐止水弁３０（弁機構）は閉弁駆動され、閉弁状態となる。このため、水側の流入路１６と、流出路１７とが非連通な状態となり、「水側の吐止水弁３０に関する水状態」となる。
【００６０】
一方、操作部３６を右方向（左方向でもよい。）に回転させると、水側の吐止水弁３０（弁機構）は開弁駆動され、開弁状態となる。このため、水側の流入路１６と、流出路１７とが連通状態となり、「水側の吐止水弁３０に関する吐水状態」となる。
【００６１】
尚、流出路１７に流入する水の流量（水の吐水量）は、操作部３６を右回転方向（左回転方向でもよい。）への回転量（操作量）を増加させると、増加するように構成されている。また、本実施例では、水側の吐止水弁３０の具体的な構成の図示等を省略するが、例えば、平面摺動方式の吐止水弁、リフト方式の吐止水弁、ロータリー方式の吐止水弁、ボール弁方式の吐止水弁等の種々の弁装置を例示することができる。
【００６２】
次に、図１〜図５を用いて、本水栓設備Ｓの使用例を簡単に説明する。先ず、図１及び図２に示すように、両操作部２６、３６が止水位置にあると、両吐止水弁２０、３０内の弁機構は止水状態とされる。このため、給湯用の元配管部１Ａから供給される湯が、湯側の吐止水弁２０の２次側（流出路１７）に流出できないと共に、給水用の元配管部１Ｂから供給される水が、水側の吐止水弁３０の２次側（流出路１７）に流出できないため、本水栓１０全体が止水状態となる。
【００６３】
本実施例において、「給湯用の元配管部１Ａから供給される湯のみを吐水する場合（以下、「湯吐水」という。）」には、湯側の吐止水弁２０のみを開弁状態とし、水側の吐止水弁３０を閉弁状態のままとする。
【００６４】
具体的には、水栓１０を正面に見る使用者Ａが、湯吐水を行う場合｛図４（ａ）参照｝、この使用者Ａは、湯側の操作部２６を上方に傾動操作する。これにより、駆動軸２５ａと共に可動弁体２５が上昇し、可動側の湯出口２８ａが固定側の湯出口２４ａと連通し、湯側の流入路１５と流出路１７とが、湯取入口２１、給湯流路２７及び湯取出口２２を介して連通する｛図３及び図４（ｂ）参照｝。よって、給湯用の元配管部１Ａから水栓本体１０に供給された湯が、吐水手段４０（カラン）を通じて吐水される。そして、この「湯吐水」の際の吐水量は、操作部２６の上方への傾動量によって決定される。一方、水栓１０の正面Ａに位置する使用者Ａが、湯吐水を取り止める場合には、湯側の操作部２６を下方に傾動操作すればよい。
【００６５】
水栓１０を左斜め前方に見る使用者Ｂが、湯吐水を行う場合｛図５（ａ）参照｝、この使用者Ｂは、湯側の操作部２６を自己の正面に回動させた後に、この湯側の操作部２６を上方に傾動操作する。これにより、駆動軸２５ａと共に可動弁体２５が上昇し、可動側の湯出口２８ａが固定側の湯出口２４ａと連通し、湯側の流入路１５と流出路１７とが、湯取入口２１、給湯流路２７及び湯取出口２２を介して連通し｛図５（ｂ）参照｝、給湯用の元配管部１Ａから水栓本体１０に供給された湯が、吐水手段４０（カラン）を通じて吐水される。一方、この使用者Ｂが、湯吐水を取り止める場合には、湯側の操作部２６を下方に傾動操作すればよい。
【００６６】
水栓１０を右斜め前方に見る使用者Ｃが、湯吐水を行う場合、この使用者Ｃは、湯側の操作部２６を自己の正面に回動させた後に、この湯側の操作部２６を上方に傾動操作する。これにより、駆動軸２５ａと共に可動弁体２５が上昇し、可動側の湯出口２８ａが固定側の湯出口２４ａと連通し、湯側の流入路１５と流出路１７とが、湯取入口２１、給湯流路２７及び湯取出口２２を介して連通し｛図５（ｃ）参照｝、給湯用の元配管部１Ａから水栓本体１０に供給された湯が、吐水手段４０（カラン）を通じて吐水される。一方、この使用者Ｃが、湯吐水を取り止める場合には、湯側の操作部２６を下方に傾動操作すればよい。
【００６７】
このように、本実施例では、湯側の操作部２６が左右の回転方向（回動方向）に振り角（遊び角）を有する。このため、使用者が水栓１０の正面に位置しない場合（斜め前方や、側方等に位置する場合）にも、この使用者は、湯側の操作部２６を自己の正面に向けたり、自己により近接する位置に移動することができる。つまり、本水栓１０は、その使用状況に応じて、湯側の操作部２６の位置を変更し、吐止水操作や吐水量の選択操作を行うことができる。
【００６８】
本実施例において、「給水用の元配管部１Ｂから供給される水のみを吐水する場合（以下、「水吐水」という。）」には、水側の吐止水弁３０のみを開弁状態とし、湯側の吐止水弁２０を閉弁状態のままとする。つまり、止水位置にある水側の操作部３６を、右回転方向に回転させると｛図２（ｂ）参照｝、水側の吐止水弁３０（弁機構）は開弁駆動され、開弁状態となる。このため、水側の流入路１６と、流出路１７とが連通状態となり、水吐水が開始される。一方、この状態から水吐水を取り止める場合には、吐水位置にある水側の操作部３６を、左回転方向に回転させ、水側の吐止水弁３０（弁機構）を閉開弁駆動し、閉弁状態とすればよい。尚、流出路１７に流入する水の流量（水の吐水量）は、操作部３６の右方向への回転量（回動量）に応じて定められる。
【００６９】
本実施例において、給湯用の元配管部１Ａから供給される湯と、給水用の元配管部１Ｂから供給される水との混合水（以下、単に「混合水」という。）を吐水させたい場合には、湯側の操作部２６及び水側の操作部３２の双方を、止水位置から吐水位置に操作すればよい。この場合、湯側の流入路１５に流入し、湯側の吐止水弁２０を通過した湯と、水側の流入路１６に流入し、水側の吐止水弁３０を通過した水とが、流出路１７に流入し、混合されて混合水となる。このとき、「湯」と「水」の混合比率は、湯側の操作部２６の上方への傾動操作量と、水側の操作部３６の右回転方向への回転操作量との比に応じて選択され、これにより、「湯」と「水」とを混合して構成される湯水の温度が選択される。但し、本実施例では、給湯用の元配管部１Ａから供給される湯の温度は、調温手段によって所望温度に制御されているため、このように、湯水を混合する必要性は乏しい。
【００７０】
以上のように、本実施例の水栓１０では、水栓本体１１に流入した湯の給湯圧や水栓本体１１に流入した水の給水圧を徒に低下させる機構を、水栓本体１１内に配置しない構造を備える。つまり、その水栓本体１１の内部において、複雑な流路構造を備える弁装置を配置しないため、吐水手段（カラン）４０から吐水される湯や水の吐水流量（勢い）を十分に確保できる。
【００７１】
また、湯側の操作部２６が、操作性の高い「レバー型の操作部」によって構成される。しかも、単一の操作部によって、温度調節用の操作と、吐止水用の操作とを行う構造でないため、前に行われた「操作」によってなされた設定が、後に行われる「他の操作」の際に誤って変更されることはない。よって、本実施例の水栓１０によると、従来の「レバー型の操作部」を備える水栓の長所を生かしつつ、短所を無くすことができる。つまり、「操作部（レバー型）の操作性の高い」という長所を生かしつつ、「意図しない設定変更を生じ易い」という短所を無くすことができる。
【００７２】
また、本実施例の水栓１０では、「湯側の操作部２６」及び「水側の操作部３６」のうちの一方を操作したり、双方を操作すれば、吐止水の選択等を行うことができる。
【００７３】
よって、本実施例の水栓１０は、操作性が高く、使用勝手に優れる。また、本実施例の水栓１０は、湯側の操作部（レバー型の操作部）２６を水栓１０（水栓本体１１）の最上部に配置し、水側の操作部（ハンドル型の操作部）３６を水栓１０（水栓本体１１）の前面部に配置するため、水栓１０の使用勝手が更に向上している。更に、本実施例の水栓１０では、その水栓本体１１の内部に、構造が複雑で、製造コストや設置スペースが嵩む部品を配置しないため、水栓１０の機構（構造）の簡略化と製造コストの低廉化を図ることが容易である。更に、水栓本体１１のサイズや形状の選択の自由度が高くなるため、水栓１０のデザインの選択の自由度が高くなる。
【００７４】
また、本実施例の水栓１０によると、使用者は、調温手段（給湯器５１）から水栓本体１１に供給される湯の温度を予め所望温度に設定しておくだけで、より一層、使用勝手の良い状態にて水栓１０を使用することができる。例えば、湯を吐水させたい場合（風呂への給湯時、洗髪時、手荒い時、食器洗浄時等）には、「湯側の操作部２６」のみに開放操作（開弁操作）を施せば足り、水を吐水させたい場合（清掃時等）には、「水側の操作部３６」のみに開放操作（開弁操作）を施せば足りる。つまり、湯側だけ、又は、水側だけの吐水（通水）を行う場合には、一方の操作部２６，３６に一操作を施せば足りることになる。換言すると、本水栓１０のサイドでは、温度調節操作を行わずに、水栓１０を使用することもできる。
【００７５】
更に、本実施例の水栓１０では、２つの操作部２６，３６の操作性に、意図的な差異を設けている。つまり、使用頻度の高い「湯側の操作部２６」の操作性をより高くし、使用勝手を更に向上させた水栓１０、即ち、「使用頻度の高い、湯側の吐止水を優先し、使用勝手を更に向上させた水栓１０を得ることができる。また、本実施例の水栓１０では、傾動操作を本操作とし、回動操作を空操作とするため、使用者と水栓１０との相対的な位置に関係無く、同様な使用性を確保できる。つまり、左右の回動方向（上下の傾動方向）に振り角（遊び角）を持つため、様々な使用状況に対し、使用勝手が良い水栓１０となる。
【００７６】
尚、本各発明の範囲は前記各実施例に示す具体的な態様に限定されず、本各発明の範囲内で種々の変形例を例示できる。
【００７７】
即ち、本実施例と異なり、湯側の操作部２６をハンドル型の操作部とし、水側の操作部３６をレバー型の操作部としてもよいし、両操作部２６、３６をレバー型の操作部としてもよい。また、図６（ａ）に示す変形例１のように、レバー型の操作部（湯側の操作部２６を図示するが、水側の操作部３６であってもよい。）において、回動操作を本操作とし、傾動操作を空操作としてもよい。この変形例１では、使用者自身の状況に関係無く、同様な使用性を確保できる。また、この変形例１は、社会的な弱者等が操作部を操作することを避けたい場合にも有効である。
【００７８】
本実施例と異なり、図６（ｂ）に示す変形例２のように、湯側の吐止水弁２０及び水側の吐止水弁３０のうちの少なくとも一方が、吐水流路（流出路）の切換機能を備えていてもよい。例えば、レバー型の操作部（湯側の操作部２６及び水側の操作部３６の何れかでも、双方でもよい。）を上下に傾動操作すると、実施例と同様に、吐止水の選択と吐水量の調節とを行う。一方、この操作部を左右何れか一方向に回転操作すると、第１の吐水手段（例えば、カラン）からの吐水が選択され、この操作部を左右何れか他方向に回転操作すると、第２の吐水手段（例えば、シャワー）からの吐水が選択される態様を例示できる。
【００７９】
尚、この変形例２においては、水栓本体１１の内部に複数の流出路が形成される。そして、吐止水弁（湯側の吐止水弁２０及び水側の吐止水弁３０のうちの一方、若しくは、双方）には、流出路に対応する数の流出口が設けられ、各流出口が各流出路に接続される。そして、吐止水弁によって、吐水に使用する流出路が選択される。
【００８０】
また、本実施例では、水栓本体１１の内部において、給湯用の元配管部１Ａから供給される湯と、給水用の元配管部１Ｂから供給される水とを混合可能な態様を例示したが、本各発明の水栓は、このような混合を行わないものであってもよい。例えば、請求項１〜請求項７の発明の水栓やその周囲に、以下のような禁止手段を設けてもよい。（Ａ）「湯側の吐止水弁の操作部」及び「水側の吐止水の操作部」の一方に開放操作（開弁操作）が施されたときに、他方に開放操作（開弁操作）が施されることを禁止する禁止手段、（Ｂ）「湯側の吐止水の操作部」に開放操作（開弁操作）が施されたときに、水側の流入路に水が流入することを禁止し、「水側の吐止水弁の操作部」に開放操作（開弁操作）が施されたときに、湯側の流入路に湯が流入することを禁止する禁止手段、（Ｃ）「湯側の吐止水弁の操作部」に開放操作（開弁操作）が施されたときに、水側の流入路に流入した水が「水側の吐止水弁」の２次側に流出することを禁止し、「水側の吐止水弁の操作部」に開放操作（開弁操作）が施されたときに、湯側の流入路に流入した湯が「湯側の吐止水弁」の２次側に流出することを禁止する禁止手段、等を設ける態様を例示できる。
【００８１】
また、水栓本体において、「湯側の吐止水弁の２次側に位置する部分」と、「水側の吐止水弁の２次側に位置する部分」とを別個独立に設けると共に、湯吐水専用の吐水手段と、水吐水専用の吐水手段と、を用意することで、湯側の流入路から水栓本体に流入する湯と、水側の流入路から水栓本体に流入する水とを、水栓本体の内部で混合する態様を排除することもできる。例えば、実施例において、流出路１７を湯吐水専用のものと、水吐水専用のものとに分けて構成することもできる。そして、「専用」の吐水路の端末毎に、湯吐水専用若しくは水吐水専用の吐水手段を接続すればよい。
【産業上の利用可能性】
【００８２】
本発明は、例えば、水栓の製造、販売、施工、加工等を行う分野で利用可能である。
【図面の簡単な説明】
【００８３】
【図１】実施例の水栓設備（水栓）を示すブロック図である。
【図２】（ａ）は実施例の湯側の操作部を示す概略的な斜視図であり、（ｂ）は実施例の水側の操作部を示す概略的な正面図である。
【図３】（ａ）は湯側の吐止水弁の概略的な要部縦断面図（止水状態）であり、（ｂ）は湯側の吐止水弁の概略的な要部縦断面図（吐水状態）である。
【図４】（ａ）は湯側の吐止水弁の概略的な要部横断面図｛止水状態であって、図３（ａ）のＩ−Ｉ断面に相当する。｝であり、（ｂ）は湯側の吐止水弁の概略的な要部横断面図｛吐水状態であって、図３（ａ）のＩＩ−ＩＩ断面に相当する。｝）である。
【図５】（ａ）は湯側の吐止水弁の概略的な要部横断面図｛止水状態であって、図３（ａ）のＩ−Ｉ断面に相当する。｝であり、（ｂ）及び（ｃ）は湯側の吐止水弁の概略的な要部横断面図｛吐水状態であって、図３（ａ）のＩＩ−ＩＩ断面に相当する。｝）である。
【図６】（ａ）は変形例１の操作部を示す概略的な斜視図であり、（ｂ）は変形例２の操作部を示す概略的な斜視図である。
【図７】（ａ）は従来例の水栓を示すブロック図であり、（ｂ）は従来例の操作部を示す概略的な斜視図である。
【符号の説明】
【００８４】
１０；水栓、
１１；水栓本体、
１５；湯側の流入路、
１６；水側の流入路、
１７；流出路、
２０；湯側の吐止水弁、
２６；湯側の操作部、
３０；水側の吐止水弁、
３６；水側の操作部、
４０；吐水手段（カラン）、
５１；給湯器（調温手段）。
【図１】
2005207477.tif 000003
【図２】
2005207477.tif 000004
【図３】
2005207477.tif 000005
【図４】
2005207477.tif 000006
【図５】
2005207477.tif 000007
【図６】
2005207477.tif 000008
【図７】
2005207477.tif 000009